(57)【要約】      （修正有）【課題】障害発生状況を高速に検出可能であり、かつ網管理者の要求する情報を厳選して取得可能なネットワーク監視システム、監視局及び監視対象装置(基地局)を提供する。【解決手段】各基地局は、管理部Ｃ１に前記監視情報として各基地局単位の障害の有無を示す総合警報情報、各基地局内の個別監視項目の障害を示す詳細警報情報及び当該詳細情報を要約した要約警報情報に分類して管理し、前記監視局は、最初に各基地局の前記総合警報情報を順次取得し、その後に前記要約警報情報と前記詳細警報情報を順次取得することで、障害発生状況を高速に検出可能とする。また、前記要約警報情報と前記詳細警報情報の取得は、前記総合警報情報により障害が検出された基地局であって網管理者が選択した基地局に対してのみ行うことで、要求する情報を厳選して取得可能とする。【選択図】図２
2006279281.tif 000002
【特許請求の範囲】
【請求項１】
複数の監視対象装置の監視情報を監視局で順次取得するネットワーク監視方式において、
前記監視対象装置は、前記監視情報として各監視対象装置単位の障害の有無を示すトータルアラーム情報、各監視対象装置内の個別監視項目の障害を示すディテールアイテム情報及び当該ディテールアイテム情報を要約したサマリアラーム情報に分類して管理し、
前記監視局は、前記複数の監視対象装置の前記トータルアラーム情報、前記サマリアラーム情報及び前記ディテールアイテム情報をネットワーク管理者の設定の順序で順次取得することを特徴とするネットワーク監視方式。
【請求項２】
複数の監視対象装置の監視情報を監視局で順次取得するネットワーク監視方式において、
前記監視対象装置は、前記監視情報として各監視対象装置単位の障害の有無を示すトータルアラーム情報、各監視対象装置内の個別監視項目の障害を示すディテールアイテム情報及び当該ディテールアイテム情報を要約したサマリアラーム情報に分類して管理し、
前記監視局は、前記複数の監視対象装置の前記トータルアラーム情報を順次取得し、前記トータルアラーム情報の取得後に前記サマリアラーム情報と前記ディテールアイテム情報を順次取得することを特徴とするネットワーク監視方式。
【請求項３】
前記監視局は前記複数の監視対象装置の集中監視をＳＮＭＰで実現し、前記複数の監視対象装置はＳＮＭＰのＭＩＢを実装することを特徴とする請求項１又は２記載のネットワーク監視方式。
【請求項４】
前記サマリアラーム情報及び前記ディテールアイテム情報の取得は、前記トータルアラーム情報により障害が検出された監視対象装置に対してのみ行うことを特徴とする請求項２又は３記載のネットワーク監視方式。
【請求項５】
前記サマリアラーム情報及び前記ディテールアイテム情報の取得は、ネットワーク管理者が選択した監視対象装置に対してのみ行うことを特徴とする請求項４記載のネットワーク監視方式。
【請求項６】
前記サマリアラーム情報及び前記ディテールアイテム情報の取得は、前記サマリアラーム情報を順次取得した後に、前記ディテールアイテム情報を順次取得することを特徴とする請求項２ないし５の何れかの請求項記載のネットワーク監視方式。
【請求項７】
監視情報を障害の有無を示すトータルアラーム情報、個別監視項目の障害を示すディテールアイテム情報及び前記ディテールアイテム情報を要約したサマリアラーム情報に分類して管理するネットワークに接続された複数の監視対象装置の前記監視情報を順次取得する監視局において、
前記複数の監視対象装置の前記トータルアラーム情報、前記サマリアラーム情報及び前記ディテールアイテム情報をネットワーク管理者の設定の順序で順次取得することを特徴とすることを特徴とする監視局。
【請求項８】
監視情報を障害の有無を示すトータルアラーム情報、個別監視項目の障害を示すディテールアイテム情報及び前記ディテールアイテム情報を要約したサマリアラーム情報に分類して管理するネットワークに接続された複数の監視対象装置の前記監視情報を順次取得する監視局において、
前記複数の監視対象装置の前記トータルアラーム情報を順次取得し、前記トータルアラーム情報の取得後に前記サマリアラーム情報と前記ディテールアイテム情報を順次取得することを特徴とする監視局。
【請求項９】
前記複数の監視対象装置はＳＮＭＰのＭＩＢを実装し、該監視対象装置の集中監視をＳＮＭＰで実現することを特徴とする請求項７又は８記載の監視局。
【請求項１０】
前記サマリアラーム情報及び前記ディテールアイテム情報の取得は、前記トータルアラーム情報により障害が検出された監視対象装置に対してのみ行うことを特徴とする請求項９記載の監視局。
【請求項１１】
前記サマリアラーム情報及び前記ディテールアイテム情報の取得は、ネットワーク管理者が選択した監視対象装置についてのみ行うことを特徴とする請求項１０記載の監視局。
【請求項１２】
前記サマリアラーム情報及び前記ディテールアイテム情報の取得は、前記サマリアラーム情報を順次取得した後に、前記ディテールアイテム情報を順次取得することを特徴とする請求項８ないし１１の何れかの請求項記載の監視局。
【請求項１３】
監視局からの要求により監視情報を送信するネットワークに接続される監視対象装置であって、
監視局側との送受信を行う監視局側送受信部と、他の監視対象装置側との送受信を行う監視対象装置側送受信部と、前記監視情報を監視対象装置単位の障害の有無を示すトータルアラーム情報、監視対象装置内の個別監視項目の障害を示すディテールアイテム情報及び当該ディテールアイテム情報を要約したサマリアラーム情報に分類して管理する管理部と、監視局側からの監視情報の要求に対し前記管理部の監視情報を応答として送信するとともに、他の監視局対象装置に対し前記監視局の要求及びその応答を中継する制御部と、を備えることを特徴とする監視対象装置。
【請求項１４】
前記監視局の集中監視はＳＮＭＰで実現し、該監視局に対しＳＮＭＰのＭＩＢを実装することを特徴とする請求項１３記載の監視対象装置。
【発明の詳細な説明】
【技術分野】
【０００１】
本発明はネットワーク監視方式に関し、特に、大規模ネットワークに好適なネットワーク監視方式、監視局及び監視対象装置に関する。
【背景技術】
【０００２】
従来のネットワーク監視システムでは監視対象装置(無線基地局)の全ステータス情報を局単位で順に取得するように構成されている。このネットワーク監視システムは、監視システム起動時には全基地局の全ステータス情報を順次取得するものであるが、監視装置数が数台から数十台の小規模ネットワークにおいては、従来システム仕様でも監視にかかる時間的な要求は満足されていた。
【発明の開示】
【発明が解決しようとする課題】
【０００３】
しかし、近年の基地局の高機能、高性能化に伴い大規模ネットワークを監視するようなシステムが必要となってきている現在では、監視局１局で大規模ネットワークを監視するシステムでは、監視システム起動時に全局の全ステータス情報を取得する必要があることから、１局の監視局から全局が監視可能状態になるまでには莫大な時間がかかるという点で問題がある。
【０００４】
また、監視システム起動時に、ある監視対象装置１局について詳細ステータスまで取得した上で次の局の詳細情報を取得していく従来システムでは、障害の発生していない正常運用状態の局に対しても詳細ステータスまで取得にいくため、障害発生局の検出に時間を要する可能性があり、ネットワーク内における障害の有無の把握を最優先とするネットワーク管理者の要求を満足させるものではない。
（目的）
本発明の目的は、大規模ネットワークでもネットワーク全体の障害発生状況を高速に検出可能なネットワーク監視システム、監視局及び監視対象装置を提供することにある。  
本発明の他の目的は、ネットワーク管理者の要求する情報を厳選して取得可能にしたネットワーク監視システム、監視局及び監視対象装置を提供することにある。
【課題を解決するための手段】
【０００５】
本発明は、図１に示す縦列型等に設置された複数の監視対象装置（無線基地局）およびネットワーク回線の障害情報を収集するネットワーク監視システムに関し、監視局が監視システム起動時に優先度の観点から障害情報を３段階に分けて収集する収集手段を有し、まずネットワーク内の全局に対して障害の有無を示す情報のみを収集し、その後全局に関して詳細情報を取得するシステムであり、大規模ネットワークにおいて全ネットワーク監視対象の全無線基地局およびネットワーク回線が監視局において監視可能状態となるまでの時間短縮を可能とした監視方式である。
【０００６】
前記監視局は無線基地局およびネットワーク回線の集中監視をＳＮＭＰで実現するシステムを搭載し、各局および回線状態を常時監視しており、ネットワークトポロジーＧＵＩを提供することを特徴とする監視方式である。
【０００７】
無線基地局の内部構成は、例えば図２に示すとおりであり、前記収集手段は、（ａ）自局の障害有無を示すTotal Alarm情報、（ｂ）局内のネットワーク機器を分類し、いずれかの機器に１つでも障害があればその機器の障害を示すSummary Alarm情報、（ｃ）各ネットワーク機器単位でカテゴリ分けされた詳細監視項目に対応したDetail Item情報、を順に収集することを可能とした監視方式である。
【０００８】
各局(装置)にＳＮＭＰ（simple network management protocol）ｖ．１のマネージメント・インフォメーション・ベースＭＩＢ(management information base)を実装しており、図３に示す通り、自局の障害有無を示すトータルアラーム（Total Alarm）情報と、局内のネットワーク機器を分類し、いずれかの機器に１つでも障害があればその機器の障害を示すサマリアラーム（Summary Alarm）情報と、各ネットワーク機器単位でカテゴリ分けされた詳細監視項目に対応したディテールアイテム（Detail Item）情報とを保持している。また、前記Detail Item情報には各監視対象装置内の個別監視項目の設定状態を示す情報を含め、前記Summary Alarm情報には前記情報を要約したステータス（Status）情報を含めることができる。
【０００９】
監視局は、第１順目の監視情報の取得フェーズとして、全局に対してTotal Alarm情報を取得し、Alarm検出時には当該Alarmを検出した局に関するAlarm表示を行う。  
監視局は、前記取得フェーズによる全局のTotal Alarm取得後、順に１局ずつSummary Alarm情報、Detail Item情報を取得していき、最終的に全局のDetail Item情報の取得まで完了する。
【発明の効果】
【００１０】
本発明によれば、各監視対象装置(基地局)に当該監視対象装置が障害が発生しているか定常状態かを示すTotal Alarm情報を設けることにより、最初に、全監視対象装置に対してその情報のみを取得可能に構成したことにより、１装置ごとにDetail Item情報まで取得した後に次装置にアクセスするシステムに比べてネットワーク全体の障害発生状況を速やかに把握できるという効果を奏する。このため監視対象装置の数が多い大規模ネットワークになればなるほど、本発明のシステムは一層の効果を発揮する。
【００１１】
また、各監視対象装置に障害情報を管理する管理部を設けてAlarmの用途別に監視項目を分類したことによりネットワーク管理者の要求する情報を厳選して取得できるという利点を有する。
【発明を実施するための最良の形態】
【００１２】
次に、本発明のネットワーク監視方式、監視局及び監視対象装置の一実施の形態として、ＳＮＭＰｖ．１をサポートした監視局（ＮＭＳ）と無線基地局により構成したネットワーク監視方式を例として詳細に説明する。
（構成の説明）
図１は本発明のネットワーク監視方式を適用する一実施の形態のネットワーク構成例を示す図である。縦列型に設置された複数の無線基地局が無線区間を介して接続されたネットワーク構成でなる。監視局は全基地局の集中監視をＳＮＭＰで実現するシステムを搭載しており、各局および回線状態を常時監視してネットワークトポロジーＧＵＩを提供する方式を採用している。
【００１３】
図２は本発明の基地局Ａの一実施の形態の内部構成を示す図である。基地局Ａは主としてＮＭＳ側送受信部（監視局側送受信部）、無線側送受信部（監視対象装置側送受信部）、管理部（Ｃ１）および制御部（Ｃ２）から構成される。基地局Ａの各部の構成及び機能を以下説明する。
【００１４】
ＮＭＳ側送受信部はＳＮＭＰｖ．１のＭＩＢを実装しており、監視局（ＮＭＳ）からGet Request(管理情報の収集要求)を受信すると、制御部（Ｃ２）のＮＭＳ制御部（Ｃ２３）にアクセスして最新の障害情報を取得し、監視局（ＮＭＳ）に対してGet Response(管理情報の収集応答)を送信する。
【００１５】
無線側送受信部は無線対向側の基地局との無線回線の障害情報の検出を行う。また、監視局（ＮＭＳ）からの無線対向基地局およびそのさらに配下の基地局に対するGet Requestを中継する。
【００１６】
管理部（Ｃ１）は基地局の障害情報およびステータス情報を管理する。障害情報は自局の障害の有無を示すTotal Alarm情報と、局内のネットワーク機器を分類し、いずれかの機器に１つでも障害があればその機器の障害を示すSummary Alarm情報と、各ネットワーク機器単位でカテゴリ分けされた詳細監視項目に対応したDetail Item情報と、に大きく分類され、本実施の形態ではTotal Alarmテーブル（Ｃ１１）、Summary Alarmテーブル（Ｃ１２）及びDetail Itemテーブル（Ｃ１３）の３つのテーブルで管理する。  
管理部（Ｃ１）は、Detail Item情報にAlarmがあれば、Summary Alarm情報のいずれかにAlarmがあるとし、Total Alarm情報は必ずAlarmがあるとして現状状態が管理される。
【００１７】
図３は管理部（Ｃ１）の詳細構成と障害情報管理フローを示す図である。  
Total Alarmテーブル（Ｃ１１）は自局の障害の有無のみを示す情報を保持している。監視局（ＮＭＳ）が基地局単位で障害の有無を判断するための情報が当テーブルで管理されている。Detail Itemテーブル（Ｃ１３）に１つでもAlarmが存在すれば、Total Alarmテーブル（Ｃ１１）は必ずAlarmとして現状状態が管理される。
【００１８】
Summary Alarmテーブル（Ｃ１２）は自局内のネットワーク機器を分類し、いずれかの機器に１つでも障害があればその機器の障害を示す情報を保持している。ネットワーク機器の分類は基地局の外に設置するアンテナ関連機器の障害をまとめたアウトドア・ユニット・アラーム（Outdoor Unit Alarm）（Ｃ１２−１）、基地局内に設置するモデム（Modem）、メイン・ボード（Mainボード）、LAN インターフェース（LAN Interface）関連機器の障害をまとめたインドア・ユニット・アラーム（Indoor Unit Alarm）（Ｃ１２−２）、および工事中を示すメンテナンス（Maintenance）設定、主回線の設定を変更するメイン・インターフェース（Main Interface）設定状態を示すStatus（Ｃ１２−３）の情報が当テーブルで管理されている。Outdoor Unit Alarm（Ｃ１２−１）もしくはIndoor Unit Alarm（Ｃ１２−２）がAlarm状態であれば、Total Alarmテーブル（Ｃ１１）は必ずAlarm状態となる。
【００１９】
Detail Itemテーブル（Ｃ１３）に１つでもAlarmが存在すれば、そのItemが存在するカテゴリのSummary Alarmテーブルは必ずAlarmとして現状状態が管理される。  
Detail Itemテーブル（Ｃ１３）はOutdoor Unit Alarm（Ｃ１２−１）、Indoor Unit Alarm（Ｃ１２−２）、Status（Ｃ１２−３）でそれぞれカテゴリ分けされた詳細監視項目の障害情報もしくはステータス情報を保持している。
【００２０】
基地局の外に設置するアンテナ関連機器の障害をまとめたOutdoor Unit Alarm（Ｃ１２−１）には、アンテナ送信出力の障害を検出するＴＸパワー・アラーム（TX Power Alarm）（Ｃ１３−１）、およびアンテナの受信レベルの障害を検出するＲＸレベル・アラーム（RX Level Alarm）（Ｃ１３−２）の情報が管理されている。  
基地局内に設置するModem、Mainボード、LAN Interface関連機器の障害をまとめたIndoor Unit Alarm（Ｃ１２−２）には、変調器の障害を検出するモジュレータ・アラーム（Modulator Alarm）（Ｃ１３−３）、および復調器の障害を検出するデモジュレータ・アラーム（Demodulator Alarm）（Ｃ１３−４）の情報が管理されている。  
Status（Ｃ１２−３）には工事中を示すMaintenance設定状態（Ｃ１３−５）、主回線の設定を変更するMain Interface設定状態（Ｃ１３−６）の情報が管理されているが、いずれも障害情報ではないため、Total Summaryに影響を与えるパラメタではない。
【００２１】
制御部（Ｃ２）は、監視局（ＮＭＳ）からのGet Requestに応じてＮＭＳ側送受信部にアクセスするＮＭＳ制御部（Ｃ２３）と、無線対向側の基地局との無線回線の障害情報を無線側送受信部にアクセスし、無線対向局およびそのさらに配下の基地局に対する監視局（ＮＭＳ）からのGet Requestを中継する無線側制御部（Ｃ２４）と、テーブル制御部（Ｃ２２）に要求して自局の最新のステータスを把握しているステータス管理部（Ｃ２１）と、ステータス管理部（Ｃ２１）からの要求に応じて管理部（Ｃ１）にアクセスするテーブル制御部（Ｃ２２）と、から構成される。
【００２２】
（動作の説明）
図４は本実施の形態の全体的な動作を示す図である。図４は図１から図３を使用した動作のまとめであり、図１〜４を参照して本実施の形態の動作について説明する。
【００２３】
監視局（ＮＭＳ）は図１に示すネットワーク構成情報を保持しており、ＮＭＳ起動後、基地局Ａからステータス情報の取得を開始し、基地局Ｄのステータス情報を取得完了した時点で監視可能状態となる。
【００２４】
監視局（ＮＭＳ）はＳＮＭＰｖ．１をサポートしており、基地局Ａに対してGet Requestを送信する。基地局ＡではＳＮＭＰｖ．１を実装した制御部（Ｃ２）のＮＭＳ側送受信部においてGet Requestを受信し、制御部（Ｃ２）のＮＭＳ制御部（Ｃ２３）に対してステータス情報を要求する。
【００２５】
ＮＭＳ制御部（Ｃ２３）はステータス管理部（Ｃ２１）に対して現状の障害情報及びステータス情報を要求する。ステータス管理部（Ｃ２１）はテーブル制御部（Ｃ２２）に対して管理部（Ｃ１）への現状の障害情報、およびステータス情報を要求すると同時に、無線側制御部（Ｃ２４）に対して無線対向局までの無線区間の回線障害の情報を要求する。
【００２６】
テーブル制御部（Ｃ２２）は管理部（Ｃ１）のTotal Alarmテーブル（Ｃ１１）に対してのみ障害の有無を確認し、結果をステータス管理部（Ｃ２１）に返信する。ステータス管理部（Ｃ２１）はテーブル制御部（Ｃ２２）からの結果をＮＭＳ制御部（Ｃ２３）、ＮＭＳ側送受信部を介して、Get Responseを監視局（ＮＭＳ）に送信する。
【００２７】
ステータス管理部（Ｃ２１）は無線側制御部（Ｃ２４）から無線対向局までの無線区間が障害なしである旨を受信した場合、無線側送受信部を介して基地局Ｂに対して監視局（ＮＭＳ）からのGet Requestを送信する。  
基地局ＡからGet Requestを受信した基地局Ｂの動作は基地局Ａの前記動作と同様であり、以下、基地局Ｃ、基地局Ｄにおける動作も同様である。
【００２８】
監視局（ＮＭＳ）は、以上の動作により基地局Ｄに対してTotal Alarm情報を取得完了した時点でネットワーク内の全装置(基地局)に障害がある局を把握できることになる。  
Total Alarm情報によりAlarmの局が存在した場合、ネットワーク管理者の要求により対象局にGet Requestを実行し、Summary Alarm情報、Detail Item情報を取得して、原因を解明することができる。  
Total Alarm情報によりAlarmの局が存在しない場合、基地局Ａから順にGet Requestを実行し、Summary Alarm情報、Detail Item情報を取得して監視局（ＮＭＳ）は全基地局の詳細情報を保持する。
【００２９】
次に管理部（Ｃ１）の動作について説明する。  
監視局（ＮＭＳ）のGet Requestの有無によらず、各基地局において装置の電源ＯＮをトリガにして管理部（Ｃ１）はテーブル作成を開始する。監視局（ＮＭＳ）からのGet Response時には、管理部（Ｃ１）は必ず最新の情報を保持している。
【００３０】
例えば、Modulation Alarm（Ｃ１３−３）が発動していた場合、管理部（Ｃ１）の各テーブルの状態は下記の通りとなる。  
（１）Detail Itemテーブルは、Modulation Alarm（Ｃ１３−３）のみAlarm状態となり、その他の項目はNormal状態である。  
（２）Summary Alarmテーブルは、Modulation Alarm（Ｃ１３−３）を配下に含むIndoor Unit Alarm（Ｃ１２−２）がAlarm状態となるが、いずれもNormal状態のTX Power Alarm（Ｃ１３−１）、RX Level Alarm（Ｃ１３−２）を配下に含むOutdoor Unit Alarm（Ｃ１２−１）はNormal状態のままである。  
（３）Total Alarmテーブルは、Outdoor Unit Alarm（Ｃ１２−１）、Indoor Unit Alarm（Ｃ１２−２）のいずれかAlarm状態であればAlarm状態として保持されるため、Alarm状態となる。
【００３１】
（他の実施の形態）
以上の実施の形態では、第１順目で取得したTotal Alarm情報によりAlarmの局が存在した場合、障害の対象局のうちネットワーク管理者の要求によりGet Requestを実行し、Summary Alarm情報、Detail Item情報を取得する例を示したが、これは障害の対象局の全てのSummary Alarm情報、Detail Item情報を取得するように構成することができる。つまり、前記サマリアラーム情報及び前記ディテールアイテム情報の取得は、前記トータルアラーム情報により障害が検出された場合には、当該監視対象装置に対してのみ行うように構成することができる。
【００３２】
また、監視局が第１順目の監視情報の取得フェーズとして、全局に対してTotal Alarm情報を取得する例を示したが、同様の基本構成により第１順目フェーズで取得する情報を監視対象装置のTotal Alarm情報に限らず、ネットワーク管理者の設定により、Total Alarm情報より下位の情報から取得可能に構成することができる。例えば、ネットワーク管理者による設定により、監視対象装置のSummary Alarm情報から順次取得し、次にDetail Item情報を取得する等の監視情報の取得方法が採用可能である。
【００３３】
また、縦列型ネットワークでの実施の形態を示したが、他の実施の形態としてバス型、リング型、階層型ネットワークに適用して構成することが可能であり、本発明はネットワーク構成に依存せず適応可能である。更に、本発明は監視対象装置（基地局）の数が多い大規模ネットワークに適用して好適であるのは前述のとおりである。
【図面の簡単な説明】
【００３４】
【図１】本発明のネットワーク監視方式を適用する一実施の形態のネットワーク構成例を示す図である。
【図２】本発明の基地局の一実施の形態の構成を示す図である。
【図３】本実施の形態の管理部の詳細構成と障害情報管理フローを示す図である。
【図４】本実施の形態の全体動作フローを示す図である。
【符号の説明】
【００３５】
Ａ、Ｂ、Ｃ、Ｄ  基地局
ＮＭＳ  監視局
Ｃ１  管理部
Ｃ１１  Total Alarmテーブル
Ｃ１２  Summary Alarmテーブル
Ｃ１３  Detail Itemテーブル
Ｃ２  制御部
Ｃ２１  ステータス管理部
Ｃ２２  テーブル制御部
Ｃ２４  無線側制御部
Ｃ２３  ＮＭＳ制御部
【図１】
2006279281.tif 000003
【図２】
2006279281.tif 000004
【図３】
2006279281.tif 000005
【図４】
2006279281.tif 000006